【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
式（１）
【化１】
1997188666.tif 000001
〔式中、Ｒ１およびＲ２は互いに独立的にＣ３−Ｃ１８アルキル、Ｃ２−Ｃ１８アルケニル、次式の基
−ＣＨ２−ＣＨ（ＯＨ）ＣＨ２−Ｏ−Ｔ１
であるか；
またはＲ１およびＲ２は式（４ａ）の基であり
【化２】
1997188666.tif 000002
｛式中、Ｒ１２は直接結合、直鎖または枝分かれＣ１−Ｃ４アルキレン基または次式−Ｃｍ１Ｈ２ｍ１−または−Ｃｍ１Ｈ２ｍ１−Ｏ−の基であり；Ｒ１３、Ｒ１４およびＲ１５は互いに独立的にＣ１−Ｃ１８アルキル、Ｃ１−Ｃ１８アルコキシまたは次式の基であり
【化３】
1997188666.tif 000003
（Ｒ１６はＣ１−Ｃ５アルキルであり；ｍ１は１乃至４であり）；ｐ１は０または１乃至５の数であり｝；Ａ１は式（１ｂ）、（１ｃ）または（１ｄ）の基であり
【化４】
1997188666.tif 000004
｛式中、Ｒ３は水素、Ｃ１−Ｃ１０アルキル、−（ＣＨ２ＣＨＲ５−Ｏ）ｎ１-Ｒ４または−ＣＨ２ＣＨ（ＯＨ）−ＣＨ２−Ｏ−Ｔ１の基であり；Ｒ４は水素、Ｍ、Ｃ１−Ｃ５アルキルまたは次式の基であり
【化５】
1997188666.tif 000005
（Ｒ５は水素またはメチルであり；Ｔ１は水素またはＣ１−Ｃ８アルキルであり）；Ｑ１はＣ１−Ｃ１８アルキルであり；（Ｍは金属陽イオンであり；ｍ２は１乃至４であり）；ｎ１は１乃至１６である）｝〕のビス（レゾルシニル）トリアゾール。
【請求項２】
Ａ１が式（１ａ１）、（１ａ２）、（１ｂ１)または（１ｂ２)の基である
【化６】
1997188666.tif 000006
〔式中、Ｒ３およびＲ４は請求項１において定義した通りである〕請求項１記載のビス（レゾルシニル）トリアジン。
【請求項３】
式（２ａ）、（２ｂ）、（３ａ）、または（３ｂ）
【化７】
1997188666.tif 000007
〔式中、Ｒ６とＲ７とが互いに独立的にＣ３−Ｃ１８アルキルまたは
−ＣＨ２−ＣＨ（ＯＨ）−ＣＨ２−Ｏ−Ｔ１であり；Ｒ８がＣ１−Ｃ１０アルキルまたは式（２ａ１)または（２ａ２)の基であり、
【化８】
1997188666.tif 000008
Ｒ９が水素、Ｍ、Ｃ１−Ｃ５アルキルまたは−（ＣＨ２)m−Ｏ−Ｔ２の基である（Ｔ１とＴ２とは互いに独立的に水素またはＣ１−Ｃ５アルキルであり；ｍは１乃至４である）の請求項１または２記載のビス（レゾルシニル）トリアジン。
【請求項４】
式（２ａ）および（２ｂ）において、Ｒ６とＲ７とが互いに独立的にＣ３−Ｃ１８アルキルまたは−ＣＨ２−ＣＨ（ＯＨ）−ＣＨ２−Ｏ−Ｔ１であり；Ｒ８がＣ１−Ｃ１０アルキルであり；Ｔ１が水素またはＣ１−Ｃ５アルキルである、請求項１乃至３のいずれか1項に記載のビス（レゾルシニル）トリアジン。
【請求項５】
式（３ａ）および（３ｂ）において、Ｒ６とＲ７とが互いに独立的にＣ３−Ｃ１８アキルまたは−ＣＨ２−ＣＨ（ＯＨ）−ＣＨ２−Ｏ−Ｔ１であり；Ｔ１が水素またはＣ１−Ｃ５アルキルである、請求項１乃至３のいずれか1項に記載のビス（レゾルシニル）トリアジン。
【請求項６】
式（２）または（３）において、Ｒ６とＲ７とが同じ意味を有する、請求項２乃至５のいずれか1項に記載のビス（レゾルシニル）トリアジン。
【請求項７】
相当するフェニルマグネシウムブロミド化合物のグリニヤ−ル反応による塩化シアヌルとの反応によって式（１ｄ）
【化９】
1997188666.tif 000009
のジクロロトリアジン化合物を得、ルイス酸、特に塩化アルミニウムの存在下においてレゾルシノ−ルのフリ−デル−クラフツアシル化によってレゾルシノ−ル基を導入し、そして基Ｒ１およびＲ２の意味に依存して、アルキル化またはグリシジルエ−テルの酸接触付加によって遊離ｐ−ヒドロキシル基をエ−テル化することを特徴とする、
Ａ１ が式（１ａ）の基であり、Ｒ１とＲ２とが同じ意味を有する式（１）のビス（レゾルシニル）トリアジンの製法。
【請求項８】
式（１ｅ）
【化１０】
1997188666.tif 000010
のフェニル置換ベンゾキサジン−４−オンと、式（１ｆ）
【化１１】
1997188666.tif 000011
〔式中、Ｒ１、Ｒ２およびＲ３は式（１）において定義した通りであり、Ｈａｌはハロゲンである〕のベンズアミジン化合物とを反応させることによる、請求項１のビス（レゾルシニル）トリアジンの製法。
【請求項９】
相当するアミノ安息香酸エステルと塩化シアヌルとの反応によって式（１ｇ）
【化１２】
1997188666.tif 000012
のジクロロトリアジン化合物を得、ルイス酸、特に塩化アルミニウムの存在下においてレゾルシノ−ルのフリ−デル−クラフツアシル化によってレゾルシノ−ル基を導入し、そして基Ｒ１およびＲ２の意味に依存して、アルキル化またはグリシジルエ−テルの酸接触付加によって遊離ｐ−ヒドロキシル基をエ−テル化することを特徴とする、
Ａ１が式（１ｂ）の基であり、Ｒ１およびＲ２が同じ意味を有する式（１）の化合物の製法。
【請求項１０】
式（１ｈ）
【化１３】
1997188666.tif 000013
〔式中、Ｒ１、Ｒ２およびＡ１は式（１）において定義した通りである〕のジヒドロトリアジン化合物の脱水による式（１）の化合物の製法。
【請求項１１】
相当するＮ−アルキルピロ−ルと塩化シアヌルとのフリ−デル−クラフツ反応による選択的反応によって、式（１ｉ）
【化１４】
1997188666.tif 000014
〔式中、Ｑ１は請求項１において定義した通りである〕のジクロロトリアジン化合物を得、ルイス酸、特に塩化アルミニウムの存在下においてレゾルシノ−ルのフリ−デル−クラフツアシル化によってレゾルシノ−ル基を導入し、そして基Ｒ１およびＲ２の意味に依存して、アルキル化またはグリシジルエ−テルの酸接触付加によって遊離ｐ−ヒドロキシル基をエ−テル化することを特徴とする、Ａ１が式（１ｃ）の基であり、Ｒ１とＲ２とが同じ意味を有する式（１）の化合物の製法。
【請求項１２】
紫外線の有害な作用からヒトおよび動物の髪および皮膚を保護するための、式（４）
【化１５】
1997188666.tif 000015
〔式中、Ｒ１０とＲ１１とは互いに独立的に水素、Ｃ１−Ｃ１８アルキル、Ｃ２−Ｃ１８アルケニル、式
【化１６】
1997188666.tif 000016
の基、式−ＣＨ２−ＣＨ（ＯＨ）−ＣＨ２−Ｏ−Ｔ１、または式（４ａ）の基であり
【化１７】
1997188666.tif 000017
｛式中、Ｒ１２は直接結合、直鎖または枝分かれＣ１−Ｃ４アルキレン基または式−Ｃｍ１Ｈ２ｍ１−または−Ｃｍ１Ｈ２ｍ１−Ｏ−の基であり；Ｒ１３、Ｒ１４およびＲ１５は互いに独立的にＣ１−Ｃ１８アキル、Ｃ１−Ｃ１８アルコキシまたは次式の基
【化１８】
1997188666.tif 000018
であり（Ｒ１６はＣ１−Ｃ５アルキルであり；ｍ１とｍ３とは互いに独立的に１乃至４であり）；ｐ１は０または１乃至５の数であり；Ｔ１は水素またはＣ１−Ｃ８アルキルであり｝；Ａ２は式（４ｂ）、（４ｃ）または（４ｄ）の基であり
【化１９】
1997188666.tif 000019
｛式中、Ｒ３は水素、Ｃ１−Ｃ１０アルキル、−（ＣＨ２ＣＨＲ５−Ｏ）n−Ｒ４または式−ＣＨ２−ＣＨ（ＯＨ）−ＣＨ２−Ｏ−Ｔ１の基であり；Ｒ４は水素、Ｍ、Ｃ１−Ｃ５アルキルまたは式−（ＣＨ２）m２−Ｏ−Ｔ２の基であり；Ｒ５は水素またはメチルであり；Ｔ１とＴ２とは互いに独立的に水素またはＣ１−Ｃ８アルキルであり；Ｑ２はＣ１−Ｃ１８アルキルであり；Ｍは金属陽イオンであり；ｍ２は１または２であり、ｎは１乃至１６である｝〕のビス（レゾルシニル）トリアジンの使用。
【請求項１３】
請求項１２の式（４）の少なくとも一種以上の化合物と化粧品的に許容されるキャリヤーまたは補助剤とを含有する化粧製品。
【請求項１４】
更に紫外線保護物質を含む請求項１３に記載の製品。
【請求項１５】
紫外線保護物質として、トリアジン、オキサニリド、トリアゾール、ビニル基を含有するアミドまたはシンナムアミドを含有する、請求項１３または１４に記載の製品。
【手続補正２】
【補正対象書類名】明細書
【補正対象項目名】０００１
【補正方法】変更
【補正の内容】
【０００１】
本発明は、新規なビス（レソルシニル）トリアジン、その製法および選択したビス（レソルシニル）トリアジンの化粧品組成物への使用に関する。
新規なビス（レソルシニル）トリアジンは式（１）を有する。
【化２０】
1997188666.tif 000020
式中、Ｒ１およびＲ２は互いに独立的にＣ３−Ｃ１８アルキル、Ｃ２−Ｃ１８アルケニル、式−ＣＨ２−ＣＨ（ＯＨ）−ＣＨ２−Ｏ−Ｔ１の基であるか；またはＲ１およびＲ２は式（４ａ）の基であり
【化２１】
1997188666.tif 000021
〔式中、Ｒ１２は直接結合、直鎖または枝分かれＣ１−Ｃ４アルキレン基または式−Ｃｍ１Ｈ２ｍ１−または−Ｃｍ１Ｈ２ｍ１−Ｏ−の基であり；Ｒ１３、Ｒ１４およびＲ１５は互いに独立的にＣ１−Ｃ１８アルキル、Ｃ１−Ｃ１８アルコキシまたは次式の基であり
【化２２】
1997188666.tif 000022
（式中、Ｒ１６はＣ１−Ｃ５アルキルであり；ｍ１は１乃至４である）、ｐ１は０または１乃至５の数である；Ａ１は（１ｂ）、（１ｃ）または（１ｄ）の基である
【化２３】
1997188666.tif 000023
〔式中、Ｒ３は水素、Ｃ１−Ｃ１０アルキル、−（ＣＨ２ＣＨＲ５−Ｏ）ｎ１−Ｒ４または−ＣＨ２−ＣＨ（ＯＨ）−ＣＨ２−Ｏ−Ｔ１の基であり；Ｒ４ は水素、Ｍ、Ｃ１−Ｃ５アルキルまたは式
【化２４】
1997188666.tif 000024
の基である（Ｒ５は水素またメチルであり；Ｔ１は水素またＣ１−Ｃ８アルキルであり；Ｑ１はＣ１−Ｃ１８アルキルであり；Ｍは金属陽イオンであり；ｍ２は１乃至４であり；ｎ１は１乃至１６である）〕。